(57)【特許請求の範囲】
【請求項１】
印鑑キャップと、
この印鑑キャップの内側底部に設けた印肉部と、
前記印鑑キャップの内周に設けた凸部と、
前記印鑑キャップが印面を覆うように装着される印鑑本体と、
この印鑑本体の外周に設けた、前記凸部を嵌合させて前記印鑑本体の印面を前記印肉部へ接触させるようにガイドする第一溝部、および、前記凸部を嵌合させて前記印鑑本体の印面を前記印肉部に非接触状態にガイドするとともに、前記印鑑キャップが前記印鑑本体から前記印鑑本体の軸方向へ外れるのを阻止する第二溝部と、
で構成し、
前記印鑑キャップの内周の凸部を点対称な二箇所に設け、これに対応させて前記第一溝部を前記印鑑本体の外周上に点対称に二箇所に設けるとともに、前記印鑑本体の外周上であって前記第一溝部とは異なる位置に、前記印鑑キャップの内周の凸部に対応するように前記第二溝部を点対称に二箇所に設け、
前記第一溝部は、前記印鑑本体の外周を軸方向へ延びる直線状の溝とし、
前記第二溝部は、前記印鑑本体の外周を軸方向へ延び、延びた先から円周方向へ曲がるＬ字状の溝とし、
前記印鑑キャップの前記凸部に対応する外周の位置には、位置合わせ部を設け、
前記印鑑本体を使用しないときは、前記印鑑キャップの位置合わせ部を、前記第二溝部を構成する縦溝に合わせ、前記印鑑本体の印面側を前記印鑑キャップ内へ差し込むことで、前記印鑑キャップの凸部を第二溝部に嵌合させるとともに、前記印鑑キャップを前記印鑑本体の円周方向に回転させて、前記凸部を前記第二溝部に固定して前記印面を前記印鑑キャップの印肉部に接触させることなく、保持されるようにし、
前記印鑑本体を使用するときは、前記印鑑キャップの位置合わせ部を、前記第一溝部に合わせ、前記印鑑本体の印面側を前記印鑑キャップ内へ差し込むことで、前記印鑑キャップの凸部を第一溝部に嵌合させるとともに、前記凸部を前記第一溝部の溝に沿ってガイドし、前記印面を前記印鑑キャップの印肉部に接触させ、印肉を付着させる、
ことを特徴とするキャップ付印鑑。
【請求項２】
請求項１に記載のキャップ付印鑑において、
前記第二溝部にロック突条を設けた、
ことを特徴とするキャップ付印鑑。
【発明の詳細な説明】
【技術分野】
【０００１】
本発明は、携帯に便利なキャップ付印鑑に関し、印鑑キャップに印肉部が付いているにもかかわらず、使用時にのみ印面を印肉部に接触させることができて、印鑑本体の印面を長持ちさせることができ、さらに公的な文書などにも使用することができるキャップ付印鑑に関する。
【背景技術】
【０００２】
キャップ付印鑑は、携帯に便利であっても、印肉入れを別に持ち運ぶ必要があるので煩わしい。印肉入れの付いた印鑑ケースは、嵩張って携帯に不向きである。一方、シャチハタ印などで知られる浸透印は、これらの問題を解決して便利だが、ゴム製のものが一般的で、常に同じ印影になる保証が無く、公的な文書で使用できないという問題がある。
【０００３】
ここで、キャップの内側底部に印鑑本体の印面の形状に合わせた印肉板を設け、上記問題を解決しようとしたキャップ内印肉入り印鑑が、下記特許文献１にて提案されている。
【特許文献１】特開平７−２２３３５２号公報
【発明の開示】
【発明が解決しようとする課題】
【０００４】
しかし、特許文献１の提案に係るキャップ内印肉入り印鑑は、キャップを押して印鑑本体の印面に印肉板を接触させるため、持ち運びの際の衝撃などにより、常に印面に印肉板が付着する恐れがあり、そうすると付着した印肉により印面の劣化が進行しやすく、また印肉板も印鑑本体との接触による衝撃により傷みやすくなるので、長持ちするという印鑑の本来的な役割を果たすことができないという問題がある。
【０００５】
本発明は、上記実情から提案され、印鑑キャップに印肉部が付いているにもかかわらず、使用時にのみ印鑑本体の印面を印肉部に接触させることができて、印鑑本体の印面を長持ちさせることができ、さらに公的な文書などにも使用することができるキャップ付印鑑を提供することを目的とする。
【課題を解決するための手段】
【０００６】
本発明に係るキャップ付印鑑は、上記目的を達成するために、印鑑キャップと、この印鑑キャップの内側底部に設けた印肉部と、前記印鑑キャップの内周に設けた凸部と、前記印鑑キャップが印面を覆うように装着される印鑑本体と、この印鑑本体の外周に設けた、前記凸部を嵌合させて前記印鑑本体の印面を前記印肉部へ接触させるようにガイドする第一溝部、および、前記凸部を嵌合させて前記印鑑本体の印面を前記印肉部に非接触状態にガイドするとともに、前記印鑑キャップが前記印鑑本体から前記印鑑本体の軸方向へ外れるのを阻止する第二溝部と、で構成し、前記印鑑キャップの内周の凸部を点対称な二箇所に設け、これに対応させて前記第一溝部を前記印鑑本体の外周上に点対称に二箇所に設けるとともに、前記印鑑本体の外周上であって前記第一溝部とは異なる位置に、前記印鑑キャップの内周の凸部に対応するように前記第二溝部を点対称に二箇所に設け、前記第一溝部は、前記印鑑本体の外周を軸方向へ延びる直線状の溝とし、前記第二溝部は、前記印鑑本体の外周を軸方向へ延び、延びた先から円周方向へ曲がるＬ字状の溝とし、前記印鑑キャップの前記凸部に対応する外周の位置には、位置合わせ部を設け、前記印鑑本体を使用しないときは、前記印鑑キャップの位置合わせ部を、前記第二溝部を構成する縦溝に合わせ、前記印鑑本体の印面側を前記印鑑キャップ内へ差し込むことで、前記印鑑キャップの凸部を第二溝部に嵌合させるとともに、前記印鑑キャップを前記印鑑本体の円周方向に回転させて、前記凸部を前記第二溝部に固定して前記印面を前記印鑑キャップの印肉部に接触させることなく保持されるようにし、前記印鑑本体を使用するときは、前記印鑑キャップの位置合わせ部を、前記第一溝部に合わせ、前記印鑑本体の印面側を前記印鑑キャップ内へ差し込むことで、前記印鑑キャップの凸部を第一溝部に嵌合させるとともに、前記凸部を前記第一溝部の溝に沿ってガイドし、前記印面を前記印鑑キャップの印肉部に接触させ、印肉を付着させることを特徴とする。
【００１０】
そして、上記キャップ付印鑑は、第二溝部に第二ロック突条を設けると、さらに好ましい。
【発明の効果】
【００１１】
本発明に係るキャップ付印鑑は、印鑑キャップの内周に設けた凸部を嵌合させて、印鑑本体の印面を印鑑キャップの印肉部へ接触させるようにガイドする第一溝部、および、印鑑キャップの内周に設けた凸部を嵌合させて、印鑑本体の印面を印肉部に非接触状態にガイドするとともに、印鑑キャップが印鑑本体から印鑑本体の軸方向へ外れるのを阻止する第二溝部をそれぞれ設けたので、使用時には、印鑑キャップに設けた凸部を印鑑本体の第一溝部に嵌合させて差し込めば、印鑑本体の印面に印肉部を接触させることができる。また、持ち運びの際などの不使用時には、印鑑キャップに設けた凸部を印鑑本体の第二溝部に嵌合させて差し込めば、印鑑本体を印鑑キャップの印肉部に非接触状態にガイドするとともに、印鑑キャップが印鑑本体から外れるのを阻止することができる。これにより、使用時にのみ印鑑本体の印面に印肉部を接触させ、不使用時に印面に印肉が付着する恐れがなくなるので、印面の劣化が進行しにくく、印肉部を印鑑本体の衝撃により傷めることもなくなり、長持ちするという印鑑の本来的な役割を果たすことができる。また、印鑑キャップに印肉部が付いているので、印肉を別に持ち運ぶことを不要とする。さらに、印面にゴム製以外のものを採用した場合には、常に同じ印影になって、公的な文書にも使うことができる。
【００１２】
特に、上記キャップ付印鑑は、印鑑キャップの内周の凸部を点対称な二箇所に設け、これに対応させて第一溝部を印鑑本体の外周上に点対称に二箇所に設けるとともに、印鑑本体の外周上であって第一溝部とは異なる位置に、印鑑キャップの内周の凸部に対応するように第二溝部を点対称に二箇所に設け、第一溝部は、印鑑本体の外周を軸方向へ延びる直線状の溝とし、第二溝部は、印鑑本体の外周を軸方向へ延び、延びた先から円周方向へ曲がるＬ字状の溝とし、印鑑キャップの前記凸部に対応する外周の位置には、位置合わせ部を設けたものである。そして、印鑑本体を使用しないときは、印鑑キャップの位置合わせ部を、第二溝部を構成する縦溝に合わせ、印鑑本体の印面側を印鑑キャップ内へ差し込むことで、印鑑キャップの凸部を第二溝部に嵌合させるとともに、印鑑キャップを印鑑本体の円周方向に回転させて、凸部を第二溝部に固定して印面を印鑑キャップの印肉部に接触させることなく、保持されるようにし、印鑑本体を使用するときは、印鑑キャップの位置合わせ部を、第一溝部に合わせ、印鑑本体の印面側を印鑑キャップ内へ差し込むことで、印鑑キャップの凸部を第一溝部に嵌合させるとともに、凸部を第一溝部の溝に沿ってガイドし、印面を印鑑キャップの印肉部に接触させ、印肉を付着させるようにする。したがって、使用時に、印鑑キャップの内周面に設けた凸部を印鑑本体の第一溝部に嵌合させて差し込めば、印鑑本体の印面に印肉部を確実に接触させることができ、不使用時に、印鑑キャップの内周面に設けた凸部を印鑑本体の第二溝部に嵌合させて差し込めば、印鑑本体を印鑑キャップの印肉部に非接触状態にガイドするとともに、印鑑キャップが印鑑本体から外れるのを確実に阻止することができる。
【００１５】
また、上記キャップ付印鑑について、第二溝部に第二ロック突条を設けたので、不使用時に印鑑キャップの凸部が所定の位置に固定されることにより、印鑑本体が印鑑キャップか外れるのを確実に阻止することができる。
【発明を実施するための最良の形態】
【００１６】
以下、一実施形態を示す図面に基づいて本発明を詳細に説明する。図１は、本発明の一実施形態に係るキャップ付印鑑に関し、不使用時の状態を示す斜視図である。図２（ａ）は、本発明の一実施形態に係るキャップ付印鑑における印鑑キャップの斜視図であり、図２（ｂ）は、本発明の一実施形態に係るキャップ付印鑑における印鑑本体の斜視図である。 図３は、本発明の一実施形態に係るキャップ付印鑑における、不使用時に印鑑キャップを印鑑本体にロックする方法を示す説明図、図４は、本発明の一実施形態に係るキャップ付印鑑における、使用時に印鑑キャップを装着して印鑑本体の印面に印肉部を接触させる方法を示す説明図である。
【００１７】
本発明に係るキャップ付印鑑１は、図１に示す通り、円筒形状で、印鑑キャップ２と、この印鑑キャップ２が一端面に設けた印面を覆うように装着される印鑑本体３とからなるものである。そして、印鑑キャップ２の外周２１および印鑑本体３の外周３１の中央部３１２には、印鑑キャップ２を印鑑本体３の適切な位置に装着するための位置合わせ部２０、３０がそれぞれ設けられ、また、印鑑本体３の外周３１の下部には、使用時の印面の上下を示す目印となる平らな部分３１３が設けられている。
【００１８】
まず、図２（ａ）に示す、印鑑キャップ２について説明する。印鑑キャップ２の内側底部には、印鑑本体の印面に接触し、印肉を付けるための印肉部２ａが設けられている。また、印鑑キャップ２の内周２２には、外周２１の位置合わせ部２０に対応するように凸部２３が設けられている。なお、凸部２３は、後述する印鑑本体の第一溝部および第二溝部に嵌合するのに適した形状、大きさを有している。
【００１９】
続いて、図２（ｂ）に示す、印鑑本体３について説明する。印鑑本体３は、外周３１の上部３１１に、印鑑キャップの凸部を嵌合させるための第一溝部３２および第二溝部３３が設けられている。第一溝部３２は印鑑本体３の軸方向へ伸びる直線状の溝で、印鑑キャップを装着した際、嵌合した印鑑キャップの凸部をガイドし、印鑑本体３の印面３ａを印鑑キャップの印肉部に接触させる長さを有している。また、第二溝部３３は印鑑本体３の軸方向へ伸びるＬ字状の溝で、印鑑キャップを装着した際、印鑑本体３の印面３ａが印鑑キャップの印肉部に接触しないうちに、嵌合した印鑑キャップの凸部が当接するストッパ面３３１を有している。また、第二溝部３３のＬ字状の溝を構成する横溝には、印鑑キャップがストッパ面３３１に沿って円周方向に回転することにより、ストッパ面３３１に当接した印鑑キャップの凸部が乗り越える第二ロック突条３３２が設けられている。
なお、印面３ａは、常に同じ印影とするため、ゴム製以外のものが採用されている。
【００２０】
次に、本発明に係るキャップ付印鑑１に関し、使用方法および持ち運びの際を含めた不使用時のロック方法を説明する。まず、キャップ付印鑑１を使用しないときは、図３に示す通り、印鑑キャップ２の位置合わせ部２０を、印鑑本体３の外周３１の中央部３１２に設けられた位置合わせ部３０、または、Ｌ字状の第二溝部３３を構成する縦溝に合わせ、印鑑本体３の印面３ａ側を印鑑キャップ２内へ差し込む。そうすると、印鑑キャップ２の内周２２に設けた凸部は、印鑑本体３の外周３１の上部３１１に設けられた軸方向へ延びるＬ字状の第二溝部３３に嵌合し、印鑑本体３の印面３ａが印鑑キャップ２の内側底部に設けた印肉部に接触しないうちに、第二溝部３３のストッパ面３３１に当接する。そして、このストッパ面３３１に沿って印鑑キャップ２を印鑑本体３の円周方向に回転させると、印鑑キャップ２の凸部が、第二溝部３３に設けた第二ロック突条３３２を乗り越えて固定され、印鑑本体３の印面３ａは印鑑キャップ２の印肉部に接触することなく、保持される。
【００２１】
また、キャップ付印鑑１を使用するときは、図４に示す通り、印鑑キャップ２の位置合わせ部２０を、印鑑本体３の平らな部分３１３、または、第一溝部３２に合わせ、印鑑本体３の印面３ａ側を印鑑キャップ２内へ差し込む。そうすると、印鑑キャップ２の凸部が、印鑑本体３の外周３１の上部３１１に設けられた軸方向へ延びる直線状の第一溝部３２に嵌合する。そして、印鑑キャップ２の凸部が第一溝部３２の溝に沿ってガイドされると、印鑑本体３の印面３ａは、印鑑キャップ２の印肉部２ａに接触して印肉を付着させる。
【００２２】
つまり、本発明に係るキャップ付印鑑１は、図１〜図４に示したように、印鑑キャップ２の内周２２に設けた凸部２３が、印鑑本体３の外周３１の上部３１１に設けた第一溝部３２および第二溝部３３にそれぞれ嵌合するので、印鑑キャップ２の凸部２３が、直線状の第一溝部３２に嵌合した場合には、印鑑本体３が印鑑キャップ２の凸部２３を通じて印肉部２ａへガイドされて接触し、印面３ａに印肉を付着させる。また、印鑑キャップ２の凸部２３が、Ｌ字状の第二溝部３３に嵌合した場合には、印鑑キャップ２の凸部２３が第二溝部３３に設けた第二ロック突条３３２によって固定され、印鑑本体３の印面３ａが印鑑キャップ２の印肉部２ａに非接触状態にガイドされるととともに、キャップ付印鑑１が図１に示す状態のまま保持される。
【００２３】
したがって、本発明に係るキャップ付印鑑１は、使用時には、印鑑本体３の第一溝部３２に印鑑キャップ２の凸部２３を嵌合させ、印鑑キャップ２に印鑑本体３を差し込めば、印鑑本体３の印面３ａに印鑑キャップ２の印肉部２ａを接触させることができる。また、不使用時には、印鑑本体３の第二溝部３３に印鑑キャップ２の凸部２３を嵌合させ、印鑑キャップ２に印鑑本体３を差し込めば、印鑑キャップ２の凸部２３が第二溝部３３に設けた第二ロック突条３３２によって固定され、印鑑本体３の印面３ａを印鑑キャップ２の印肉部２ａに接触させることなく、保持することができる。これにより、使用時にのみ印鑑本体３の印面３ａを印鑑キャップ２の印肉部２ａに接触させることができ、不使用時に印面３ａに印肉部２ａの印肉が付着する恐れがなくなるので、印面３ａの劣化が進行しにくく、印肉部２ａを印鑑本体３の衝撃により傷めることもなくなって、長持ちするという印鑑の本来的な役割を果たすことができる。また、印鑑キャップ２の内側底部に印肉部２ａを設けているので、印肉を別に持ち運ぶことを不要とする。さらに、印鑑本体３の印面３ａが、ゴム製以外のものであるので、常に同じ印影になって、公的な文書にも使うことができる。
そして、本発明に係るキャップ付印鑑は、長持ちするので、例えば、小学校、中学校、高等学校の児童、生徒の卒業記念品に適している。
【００２４】
なお、印鑑キャップの内周面に設けた凸部を、点対称な二箇所に設けてもよく、これに対応して、印鑑本体の直線状の第一溝部およびＬ字状の第二溝部をそれぞれ点対称な二箇所に設けてもよい。そうすると、印鑑キャップと印鑑本体とを一体化させた際、印鑑キャップが印鑑本体に対してガタつくようなことがなくなるので、不使用時の非接触状態を確実なものとし、また使用時の印面への印肉の付着を確実なものとすることができる。
【００２７】
以上、本発明の実施形態を詳述したが、本発明は上記実施形態に限定されるものではない。本発明は、実用新案登録請求の範囲に記載された事項を逸脱することがなければ、種々の設計変更を行うことが可能である。
【００２８】
また、上記実施形態ではいずれも、第二溝部に第二ロック突条を設ける構成について説明したが、例えば、第二ロック突条を有さない構成であっても、持ち運びの際など不使用時に、印鑑キャップが印鑑本体から外れることがないという確実性が失われるのみであり、使用時にのみ印鑑本体の印面に印肉を接触させ、不使用時に印面に印肉が付着する恐れがなくなって、印面の劣化が進行しにくく、印肉部を印鑑本体の衝撃により傷めることもなくなり、長持ちするという印鑑の本来的な役割を果たすことが可能である。
なお、本発明に係るキャップ付印鑑は、通常、印面にゴム製以外のもの採用するが、常に同じ印影になることが必要ない場合には、もちろん、ゴム製のものも採用してもよい。
【図面の簡単な説明】
【００２９】
【図１】本発明の一実施形態に係るキャップ付印鑑に関し、不使用時の状態を示す斜視図である。
【図２】（ａ）は、本発明の一実施形態に係るキャップ付印鑑における印鑑キャップの斜視図である。（ｂ）は、本発明の一実施形態に係るキャップ付印鑑における印鑑本体の斜視図である。
【図３】本発明の一実施形態に係るキャップ付印鑑における、不使用時に印鑑キャップを印鑑本体にロックする方法を示す説明図である。
【図４】本発明の一実施形態に係るキャップ付印鑑における、使用時に印鑑キャップを装着して印鑑本体の印面に印肉部を接触させる方法を示す説明図である。
【符号の説明】
【００３０】
１      キャップ付印鑑
２      印鑑キャップ
２０    印鑑キャップの位置合わせ部
２１    印鑑キャップの外周
２２    印鑑キャップの内周
２３    凸部
２ａ    印肉部
３      印鑑本体
３０    印鑑本体の位置合わせ部
３１    印鑑本体の外周
３１１  外周の上部
３１２  外周の中央部
３１３  平らな部分
３２    第一溝部
３３    第二溝部
３３１  ストッパ面
３３２  第二ロック突条
３ａ    印面
【図１】
0004579271.tif 000002
【図２】
0004579271.tif 000003
【図３】
0004579271.tif 000004
【図４】
0004579271.tif 000005